(57)【要約】【課題】  従来のバックルの誤挿入防止構造は、上下両端部（短辺側）に突出部を設け、折曲立設したものを採用していたので、上板の長辺部が長くなると共に、その短辺側より下板のベルト挿通孔へ導くものであるから、下板を大きく裏返す（挿通孔の間口が最大になるように）等のアクションをおこさせるもので、挿入しずらいものであった。【解決手段】  略口の字形下板１と、略日の字形上板３の２枚重ねて成る簡易型バックル７において、下板１のベルト挿通孔２のベルト幅方向の幅を、上板３のベルト挿通孔４の幅より広くすると共に、上板３の長辺部５に突出部６を設け、該突出部６を裏側に折曲立設した構造を有する。よって、上板３の短辺側から挿通孔２へ導き入れる挿入時は、短辺側は上板の板厚のみであるから、下板の裏返し動作もほとんど無く、スムーズに挿入可能としたものである。【選択図】        図１
0003107286.tif 000002
【実用新案登録請求の範囲】
【請求項１】
略口の字形下板１と、略日の字形上板３の２枚重ねて成る安全帯用簡易型バックル７において、下板１のベルト挿通孔２のベルト幅方向の長さを、上板３のベルト挿通孔４の長さより広くすると共に、上板３の長辺部５に突出部６を設け、該突出部６を裏側に折曲立設したことを特徴とする安全帯用簡易型バックル。
【考案の詳細な説明】
【技術分野】
【０００１】
本願は、高所作業者が墜落防止のために身体に装着するハーネス型安全帯の簡易型バックルに関するものである。
【背景技術】
【０００２】
以前より安全帯の簡易型バックルは、口の字形下板と日の字形上板を２枚重合したものが使用されていた。
これは構造簡単で軽量に製作できると共に、強度も十分備えているものであった。また取り付けに際しても素早く行なえるものであった。
しかしながら、上板の形状が表裏同じであり、反対に挿入配置した場合は、ベルトの折り返し側を押さえることができない状態になり、この状態で万が一落下したならば高落下衝撃荷重が加わってベルトが滑り、最悪抜け外れることが考えられるものであった。
【０００３】
よって、上記課題を解決するために、本出願人が実用新案登録第３０５０６２３号公報によって誤挿入防止機能を付加した安全帯用簡易型バックルを開示したものがある。
このバックルは、実際には図１３，１４のような形状で製品化され、現在ハーネス型安全帯に採用され、一応の成果を上げているものであるが、下板に上板を挿入する際、誤挿入防止構造である上板の上下両端部に設けた折曲立設部が短辺側にあるため、挿入しずらいものであった。
なぜなら、挿入時は、短辺側より導き入れるものであり、その幅広の折曲立設部により、下板を大きく裏返す（挿入孔が見えるように）等のアクションをおこさせるもので、挿入しずらいものであった。
【特許文献１】実用新案登録第３０５０６２３号公報
【考案の開示】
【考案が解決しようとする課題】
【０００４】
よって、本願は、挿入性の向上を図ると共に、以前よりの誤挿入防止構造も備えた簡易型バックルを開示するものである。
【課題を解決するための手段】
【０００５】
本願は、挿入性向上のため、具体的には下板１のベルト挿通孔２のベルト幅方向（長辺側）の長さを、上板３のベルト挿通孔４の幅より長く（広く）すると共に、上板３に設ける誤挿入防止構造を成す折曲立設部を長辺部に突出部６を設け、上板長辺の長さを従来品より短くし、解決するものである。
【考案の効果】
【０００６】
本願の簡易型バックルは、下板１のベルト挿通孔２をベルト幅より広くすることにより、図７に示すようにベルト先端部Ｂ２を斜に折り返したベルト幅は広くなるのであるが、その長さに対応して抵抗なく挿入できる。また、挿入時は上板３の短辺部より導き入れるものであるが、短辺側は板厚のみであるから、下板１を大きく裏返し、ベルト挿通孔２の間口が最大になるような動作を行うことがなく、短辺側をベルト挿通孔２に差し込む動作によりスムーズに挿入が可能であると共に、上板３の長辺を従来品より短くなったことにより、下板１のベルト挿通孔２への挿入距離が短くなり挿入性が向上し、ハーネス型安全帯の装着が素早くできるものである。
また、誤挿入（誤配置）した場合は、従来品はベルトの長さ方向だけ上板の突起により傾いているが、本願は、ベルトの長さ方向とベルトの幅方向に傾くため、正常にセットした状態との差異が大きく、誤挿入であることが分かりやすくなった。
【実施例】
【０００７】
本願の実施例を詳記すると、
図１，２は、本願の実施例を示すもので、略口の字形下板１と、略日の字形上板３の２枚を重ねて成る安全帯用簡易型バックル７において、下板１のベルト挿通孔２のベルト幅方向の幅を、上板３のベルト挿通孔４の幅より広くすると共に、上板３の長辺部５に突出部６を設け、該突出部を裏側に折曲立設した構造を有している。
下板１の外形寸法は、６７ｍｍ×３９ｍｍ、ベルト挿通孔２の幅は５２ｍｍである。上板３の外形寸法は、５９ｍｍ×３６ｍｍ、ベルト挿通孔２の幅は４６ｍｍである。
【０００８】
図３，４は本願のバックルのベルト挿通状態図であり、図３は正常位置に挿通したところの正面図、図４は図３の底面図であり、上板，下板の全体が面接触し、ベルト先端部Ｂ２の折り返し側を押さえることによって荷重をもたせるものである。
【０００９】
図５，６は本願のバックルのベルト挿通状態図であり、図５は上板３を間違った位置に配したところの正面図、図６は図５の底面図であり、上板，下板間に間隔が生じる。またこのように配すると、ベルト先端部Ｂ２の折り返し側を押さえないのでベルトは滑ってしまうものである。
【００１０】
図７は、本願安全帯用簡易型バックルの挿入方法を示す斜視図であり、ベルトの端部に縫着して設けた下板１のベルト挿通孔２の裏側より、表側に向かって、上板３の短辺側より挿入するものである。この時、ベルト先端部Ｂ２を斜に折り返したベルト幅は広くなるのであるが、下板１のベルト挿入孔２の幅を広くしているので、その長さに対応して抵抗なく挿入できるものである。
図８は、正常位置に嵌合したところの斜視図であり、折曲立設した突出部が下板１の外側に位置して全体が面接触している状態である。
外す場合は、ベルト先端部Ｂ２を持って、少し上板３を浮き上がらせておき、親指で突出部６上を押さえながらベルト挿通孔２へ押し入れ、ベルト先端部Ｂ２を引っ張れば容易に抜脱が可能である。
【００１１】
図９は、本願の簡易型バックルを取付けたハーネス型安全帯の装着状態正面図であり、左側のバックルの嵌合時は、左手で下板１を持って少し上側に向け、右手で上板３を持って短辺側をベルト挿通孔２に導き挿入し、挿入が完了すればベルトの弾力により復元するものである。
【００１２】
図１０に示す簡易型バックルは、図９のハーネス型安全帯の右側に配するバックルであり、左側のバックルとは上板３の突出部６を反対方向に折曲して設けたものであり、右手で下板１を持って少し上側に向け、左手で上板３を持って短辺側をベルト挿通孔２に導き挿入し、挿入が完了すればベルトの弾力により復元するものである。
【００１３】
図１１，１２は、本願の他の実施例を示すもので、突出部６を長辺部中央に設け、短辺側へ斜めにカットしたものであり、左右どちらの方向からも挿入しやすくした形状で、ハーネス型安全帯の左右に配置するものである。
【００１４】
図１３，１４は従来品の正面図と、ベルト挿入正常状態の斜視図であり、上板３の外形寸法は、６５ｍｍ×３１ｍｍ、ベルト挿通孔４の幅は４６ｍｍである。
下板の１の外形寸法は、６４ｍｍ×３６ｍｍ、ベルト挿通孔２の幅は４６ｍｍである。
【図面の簡単な説明】
【００１５】
【図１】本願簡易型バックルの斜視図。
【図２】本願簡易型バックルの正面図。
【図３】本願簡易型バックルのベルト挿入正常状態の正面図。
【図４】図３の底面図。
【図５】本願簡易型バックルのベルト挿入誤挿入状態の正面図。
【図６】図５の底面図。
【図７】本願簡易型バックルの挿入方法を示す斜視図。
【図８】本願簡易型バックルのベルト挿入正常状態の斜視図。
【図９】本願簡易型バックルを取付けたハーネス型安全帯の装着状態図。
【図１０】本願簡易型バックルの右側用バックルの正面図。
【図１１】本願簡易型バックルの他の実施例の正面図。
【図１２】図１１のベルト挿入正常状態の斜視図。
【図１３】従来品の正面図。
【図１４】従来品のベルト挿入正常状態の斜視図。
【符号の説明】
【００１６】
１  下板
２  ベルト挿通孔
３  上板
４  ベルト挿通孔
５  長辺部
６  突出部
７  簡易型バックル
Ｂ１  ベルト基端部
Ｂ２  ベルト先端部
【図１】
0003107286.tif 000003
【図２】
0003107286.tif 000004
【図３】
0003107286.tif 000005
【図４】
0003107286.tif 000006
【図５】
0003107286.tif 000007
【図６】
0003107286.tif 000008
【図７】
0003107286.tif 000009
【図８】
0003107286.tif 000010
【図９】
0003107286.tif 000011
【図１０】
0003107286.tif 000012
【図１１】
0003107286.tif 000013
【図１２】
0003107286.tif 000014
【図１３】
0003107286.tif 000015
【図１４】
0003107286.tif 000016